(57)【要約】      （修正有）【課題】建物などの中で、どの壁を利用しても、お札などの向きを所定の方角に向けて配置できるとともに、その作業が簡単かつ容易にできる器具を提供する。【解決手段】お札を所定の方角に向けて配置するためのお札取り付け器具１であって、壁面に固定する固定部材と、固定部材に対して回動自在に保持され、お札を取り付けることができる表面部材とを有し、固定部材は、壁面側の基板から前方に延びだして形成された支持部材を有し、表面部材は、お札を取り付けた状態で、支持部材に対して回動可能に支持されることで、壁面から所定の距離を置いた状態で回動可能となっていることとした。【選択図】図１
2018171357.tif 000002
【特許請求の範囲】
【請求項１】
お札を所定の方角に向けて配置するためのお札取り付け器具であって、
壁面に固定する固定部材と、
上記固定部材に対して回動自在に保持され、上記お札を取り付けることができる表面部材と、を有し、
上記表面部材は、上記お札を取り付けた状態で、上記固定部材に対して回動可能に支持されることで、上記お札を所定の方角に向けて保持するようになっている、
ことを特徴とするお札取り付け器具。
【請求項２】
上記固定部材は、壁面側の基板から前方に延びだして形成された支持部材をさらに有し、
上記表面部材は、上記お札を取り付けた状態で、上記支持部材に対して回動可能に支持されることで、壁面から所定の距離を置いた状態で回動可能となっている、
請求項１記載のお札取り付け器具。
【請求項３】
上記表面部材には、上記お札を秘するためのホルダーが取り付けられており、このホルダーにとってお札が保持されるようになっている、
請求項１又は２記載のお札取り付け器具。
【請求項４】
上記表面部材の表面には、両面テープが取り付けられており、
上記両面テープでお札を保持するようになっている、
請求項１〜３のいずれかに記載のお札取り付け器具。
【請求項５】
上記固定部材は、その両側部から立ち上がるように形成された翼部が形成されており、
上記固定部材の両端部は、壁面の角に合わせて曲げられた翼部を有している、
請求項１〜４のいずれかに記載のお札取り付け器具。
【請求項６】
上記固定部材は、平板状の基板を壁面に取り付ける構造となっており、
上記基板は、その両側部を折り曲げることで、壁面の角に合わせて折り曲げ可能となっている、
請求項１〜５のいずれかに記載のお札取り付け器具。
【発明の詳細な説明】
【技術分野】
【０００１】
本発明は、神社などのお札を取り付けるための器具に関する。
【背景技術】
【０００２】
神社などで配布されるお札を壁に貼ったり、神棚に飾ったりすることが行われている。このようなお札の中には、毎年恵方など所定の方角を向けて貼るお札がある。このようなお札は、家やオフィスの中でその年ごとの方角に向けてお札を貼っている。
【０００３】
神社のお札などを取り付ける器具としては、お札保持手段とお札保持手段に取付けられた方位磁石を組み合わせたお札ホルダーが提案されている（特許文献１）。
また、壁に吊ったときに中に納められた御札が傾いたり振れたりしない安定性の高い壁掛け式の神棚として、均一な厚みで左右対称に形成された背景盤の表面に和紙を張設し、該背景盤の表面の中央部位に上枠側には突き上げ溝を、下枠側には前記突き上げ溝よりも浅い落とし溝を備えた御札を納める縦長長方形の御札入れ枠を配設し、背景盤の裏面の上部には吊り掛け孔を備えた吊り金具を設け、中段よりも下部の両側部寄りの左右対称位置には、前記吊り金具の突出高さよりも高い柔軟材質の突起を設けたものが提案されている（特許文献２）。
【０００４】
【特許文献１】実登３０９３３２８号公報
【特許文献２】実登３１５１３０７号公報
【発明の開示】
【発明が解決しようとする課題】
【０００５】
しかし、上述の従来技術では、方位磁石を付けて方角を確認することはできるが、毎年お札を向ける方角が変わる場合には、ホルダー自体を毎年付け替える必要があり、その作業が大変面倒であった。
【０００６】
本発明は、上述の課題を解決するためになされたものであって、建物などの中で、どの壁を利用しても、お札などの向きを所定の方角に向けて配置できるとともに、その作業が簡単かつ容易にできる器具を提供することを目的とする。
【課題を解決するための手段】
【０００７】
上記目的を達成するため、本発明の一の観点に係る札取り付け器具は、お札を所定の方角に向けて配置するためのお札取り付け器具であって、壁面に固定する固定部材と、上記固定部材に対して回動自在に保持され、上記お札を取り付けることができる表面部材とを有し、上記表面部材は、上記お札を取り付けた状態で、上記固定部材に対して回動可能に支持されることで、上記お札を所定の方角に向けて保持するようになっていることを特徴とする。
【０００８】
上記固定部材は、壁面側の基板から前方に延びだして形成された支持部材をさらに有し、上記表面部材は、上記お札を取り付けた状態で、上記支持部材に対して回動可能に支持されることで、壁面から所定の距離を置いた状態で回動可能となっていてもよい。
また、上記表面部材には、上記お札を秘するためのホルダーが取り付けられており、このホルダーにとってお札が保持されるようになっていてもよい。
【０００９】
上記表面部材の表面には、両面テープが取り付けられており、上記両面テープでお札を保持するようになっていてもよい。
【００１０】
上記固定部材は、その両側部から立ち上がるように形成された翼部が形成されており、上記基板の両端部は、壁面の角に合わせて曲げられた翼部を有していてもよい。
【００１１】
上記固定部材は、平板状の基板を壁面に取り付ける構造となっており、上記基板は、その両側部を折り曲げることで、壁面の角に合わせて折り曲げ可能となっていてもよい。
【発明の効果】
【００１２】
本発明によれば、建物などの中で、どの壁を利用しても、お札などの向きを所定の方角に向けて配置できるとともに、その作業が簡単かつ容易にできる器具を提供できる。
【図面の簡単な説明】
【００１３】
【図１】本発明の第１の実施形態に係るお札取り付け器具を壁面に取り付けた状態を示す斜視図。
【図２】第１の実施形態に係るお札取り付け器具を壁面に取り付けた状態を上から見た平面図。
【図３】第１の実施形態に係るお札取り付け器具の背面から見た状態を示す斜視図。
【図４】第１の実施形態に係るお札取り付け器具の爪部の拡大斜視図。
【図５】第１の実施形態に係るお札取り付け器具の分解斜視図。
【図６】第１の実施形態に係るお札取り付け器具の回動金具の側面図。
【図７】第１の実施形態に係るお札取り付け器具を壁面に取り付けた状態を示す別の斜視図。
【図８】第２の実施形態に係るお札取り付け器具を壁面に取り付けた状態を示す正面斜視図。
【図９】第２の実施形態に係るお札取り付け器具の分解斜視図。
【図１０】第２の実施形態に係るお札取り付け器具の一部の分解斜視図。
【図１１】第２の実施形態に係る支持板の側面図及び先端部断面図。
【図１２】第２の実施形態に係るお札取り付け器具を壁面に取り付けた状態の背面斜視図。
【図１３】第２の実施形態に係るお札取り付け器具の表面パネルの分解斜視図。
【図１４】第２の実施形態に係るお札取り付け器具を壁面に取り付けた状態の上面。
【図１５】第２の実施形態に係るお札取り付け器具を壁面に取り付けた状態の別の上面図。
【発明を実施するための形態】
【００１４】
本発明にかかる実施形態について以下図面を参照して説明する。
図１〜図６において、本実施形態にかかるお札取り付け器具１は、固定金具２と、固定金具２に回動
自在に取り付けられた回動金具３と、この回動金具３に取り付けられお札を保持する表面パネル４とを有している。
【００１５】
固定金具２は、図５に示すように、基板２１と、この基板２１から左右に所定の角度で起き上がるように設けられた翼部２２を有している。
基板２１は平板状をしており、その四隅近傍に壁面にねじ等固定するための穴２１aが設けられている。
翼部２２は基板２１から延びだした平板状をしており、その幅方向中央部には上下にねじ等で固定するための穴２２ａ，２２ａが設けられている。
これにより、図１のように壁面に垂直に取り付ける場合（図示Ａ）には、基体２１の穴２１ａにねじ等を通して取り付ける。また壁面の角に取り付ける場合（図示Ｂ）には翼部２２の穴２２ａにねじ等を通して取り付けることができるようになっている。
【００１６】
また、基板２１の幅方向中央部の上下端部から前に延びだした支持板２３、２３が設けられている。この支持板２３、２３は回動金具３を保持するためのものであり、前面に延びだした先端が丸くなった舌状に形成されている。この支持板２３の先端部近傍には回動金具３を取り付けるための穴２３ａが設けられている。この穴２３ａは中心部が丸くそこから前後に四角形状に延びだした形状となっている。
このように、支持板２３、２３により回動金具３を回動可能に保持することで、壁面から所定の距離を置いた状態で回動金具３が回動できるようになっている。
【００１７】
図５において、回動金具３は、表面パネル４を取り付けるための取付板３１と、この取付板３１の裏面の幅方向中央部に取り付けられ、取付板３１を回動可能に支持する軸板３２を有している。
取付板３１は、長方形（四角形）状をしており、その上端及び下端部に四角形状の窓３１ａ、３１ａ
が設けられている。この窓３１ａ、３１ａは、軸板３２を支持板２３にナット５で取り付ける際に工具を通したり、軸板３２の取付状態を確認するためのものであって、このナット５の取付位置に対応して設けられている。
【００１８】
また、取付板３１の前面の下端部には、図示の例では中央と左右の合計３か所に爪部３４が設けられている。この爪部３４は、図４に示すように、略円形をしており、爪部３４の下端部が取付板３１に取り付けられ、その上端部は取付板３１の表面からわずかな隙間ができるように開放されている。そしてこの隙間で、表面パネル４１の下端部を挟持して支えるようになっている。
【００１９】
軸板３２は、図６に示すように、取付板３１の幅方向中央部に、取付板３１に対して略垂直に取付られている。軸板３２の取付板３１への取付部分は、取付板３１の窓３１ａ，３１ａの間に取り付けられるため、その幅に合わせて切欠き３２ａ、３２ａが形成されている。
また、軸板３２の上下端部には、突部３３ａ，３３ｂが取り付けられている。上端の突部３３ａは図５、図６に示すように円柱状に形成されており、上側の支持板２３の穴２３ａに嵌るようになっている。
また下側の突部３３ｂは、円柱状をしており、その先端部（図示では下端部）の前後に突出した突起３３ｃ、３３ｃが設けられている。
【００２０】
また、回動金具３３ｂに嵌るナット５は、図５に示すように、中央部に穴５ａを有している。この穴５ａは円形の穴から前後に突出した形状となっており、回動金具３３ｂの形状に応じた形状となっている。
【００２１】
図５において、表面パネル４は薄板状のパネル本体４１と、このパネル本体４１の幅方向略中央部に設けられたお札のホルダー４２を有している。
パネル本体４１は、その表面のホルダー４２を挟んだ左右両面に「家内安全」「商売繁盛」などの文字を表示なスペースが設けられている。このスペースにはこれらの文字をあらかじめ印刷又は刻印してもよいし、またシールなどを貼れるようにしてもよい。
またホルダー４２は、お札を入れて保持するためのものであって、本例では上部が大径の半円柱状をしている。
【００２２】
なお、ホルダー４２の形状はお札の形状等に合わせた形状をしていればよく、四角柱状などでもよい。またホルダー４２を設けずに、表面パネル４自体に直接お札を貼るようにしてもよい。
【００２３】
次に、本実施形態にかかるお札取り付け器具１の使い方について説明する。
まず、固定金具２を壁面にねじや釘等で固定する。壁面への取り付け方に応じて、壁面に垂直に取り付ける場合（図１図示Ａ）には、基体２１の穴２１ａにねじ等を通して取り付ける。また壁面の角に取り付ける場合（図１図示Ｂ）には翼部２２の穴２２ａにねじ等を通して取り付ける。
【００２４】
固定金具２が取り付けられたら、この固定金具２に回動金具３を取り付ける。
回動金具３の固定感具２への取付けは、まず上側の支持板２３の支持板２３の穴２３ａに回動金具３３ａを挿入して上側にスライドさせる。この状態で下側の回動金具３３ｂを下側の支持板２３の穴２３ａの位置に合わせる。この状態で手を放すことで、回動金具３の自重により回動金具３が下側にスライドし、これにより、回動金具３３ｂが下側の穴２３ａから突出した状態となる。
これにより、突出した回動金具３３ｂの先端部にナット５の穴５ａを突部３３ｂの形状に合わせて挿入し、そこからナット５を回すことで、突部３３ｂの突起３３ｃの位置から穴５ａの位置をずらすことで、回動金具３が支持板２３に対して回動自在に保持される。
【００２５】
この状態で、表面パネル４の下端部を回動金具３の爪部３４に引っ掛けることで、表面パネル４を回動金具３に取り付ける。そして、ホルダー４２にお札などを入れる。
そして、回動金具３を手で動かすことで、突部３３ａ、３３ｂを軸として回動金具３が回転することで、図１に示すようにお札を所望の方角に向けることができる。所望の方向に向けたら、回動金具３から手を放すことで、あとは自重でその場に静止することで、お札を所定の方向に向けて配置することができる。
【００２６】
なお、本実施形態では、図２に示すように、回動金具３の回動範囲は、取付金具２の翼部２２に当接することで回動範囲が規制される（本例では、中心から４５°〜５７°の範囲で回転可能）。そのため、図１や図７のように壁面への取付位置を変えて複数取り付けておくことにより、お札をあらゆる方向に向けることができる。
【００２７】
このように、上述の実施形態によれば建物などの中で、どの壁を利用しても、お札などの向きを所定の方角に向けて配置できるとともに、その作業が簡単かつ容易にできる。
【００２８】
なお、上述の実施形態で、固定金具２、回動金具３、表面パネル４の形状や材質などは任意であり、種々の変更が可能である。
ホルダー４２を透明等にすることもでき、本発明の範囲で任意に変更可能である。
また、表面パネルを設けずに、回動金具に直接ホルダーを設けてお札を取り付けることもできる。また、回動金具に直接お札を貼りつけ等することも可能である。
【００２９】
次に、回動金具にお札を貼りつけるようにした第２の実施形態について図面を参照して説明する。
図８において、第２の実施形態にかかるお札取り付け器具１００は、固定金具２００と、固定金具２００に回動自在に取り付けられ、お札を保持する表面パネル３００とを有している。
【００３０】
固定金具２００は、図９、図１０に示すように、平板状の基板２０１と、表面パネル３００を保持する支持板２０５を有している。
基板２０１は、平板状をしており、その両端側部にねじ等で壁面に固定するための穴２０２が縦に一列にそれぞれ形成されている。この穴２０２は、図示の例では、中心部にねじ等を通すための貫通穴２０２ａと、それより大径の凹みからなっている。
また、基板２０１の背面側（取り付けられる壁側）には、図１２に示すように、溝２０３が縦に2か所形成され、この溝２０３により基板２０１が縦方向に略三等分されるようになっている。この溝２０３が形成されていることにより、基板２０１を壁と壁の角部分に取り付ける際、この溝２０３に沿って基板２０１の両端部を折り曲げることで、貫通穴２０２ａの位置を両壁面に合わせることができる。
【００３１】
また、図９、図１０に示すように、基板２０１の表面側の幅方向の中央部には一対のガイド２０４、２０４が上端部、下端部それぞれに形成されている。このガイド２０４は、支持板２０５をガイドするための有底の溝が内側面側に形成されており、この溝に支持板２０５がストッパー２０６を乗り越えてスライドして嵌められる。そして、嵌め込まれることにより、支持板２０５が基板２０１の中央部に上下に形成されたストッパー２０６、２０６が支持板２０５の動きを規制する。これにより、支持板２０５が基板２０１に取り付けられるようになっている。
【００３２】
また、支持板２０５は、図９、図１０に示すように、Ｌ字状に形成されており、その短端部は、上述のガイド２０４、２０４にはめ込まれるようになっている。
一方、支持板２０５の長端部２０５ｂは、表面パネル３００が取り付けられる先端部が丸く面取りがされており、その先端部に表面パネル側３００の軸板５００の回転軸５０３を通すための軸穴２０５ｃが形成されている。この軸２０５ｃには、図１１に示すように、ワッシャ２０５ｄが取り付けられていてもよく、これにより回転軸５０３と適度な摩擦を持って表面パネル３００を回動自在に保持することができるようになっている。
また、本例では、支持板２０５の強度を保持するため、短端部と長端部との間に補強板２０５eが形成され、長端部の幅方向中央部から短端部の幅歩行中央部にかけて形成されている。本例では、補強板２０５ａは側面から見て三角形状に形成されており、その先端は軸穴２０５ｃの手前まで延びて形成されるようになっている。
【００３３】
表面パネル３００は、図９に示すように四角形状の平板形状をしており、その表面には両面テープ４００が取り付けられるようになっている。この両面テープ４００は、その表面に両面テープ４００を略３分割するミシン目が入れられている。
なお、表面パネル３００及び両面テープ４００の形状は任意であり、丸や楕円などでもよい。
【００３４】
また、図１３に示すように、表面パネル３００の裏面の幅方向の中央部には一対のガイド３０１、３０１が上下に形成されている。このガイド３０１は、軸板５００を取り付けるためのガイドである。このガイド３０１の内側面側には有底の溝が形成されており、この溝に軸板５００がスライドして嵌められる。そして、嵌め込まれることにより、軸板５００が基板２０１の中央部に上下に形成されたストッパー３０２、３０２により規制されるようになっている。これにより、軸板５００が表面パネル３００に取り付けられるようになっている。
【００３５】
また、軸板５００はＬ字状に形成されており、その一端部５０１はガイド３０１の溝に嵌り、他端部５０２には回転軸５０３が形成されている。
この回転軸５０３は、穴２０５ｃに回動自在に嵌る径をしている。そして、この軸板５００の中央部にも補強部５０４を形成してもよい。
【００３６】
次に第２の実施形態の使用方法について説明する。
まず、図９、図１０に示すように、基板２０１に対して上下の支持板２０５を取り付ける。
この取付けは、支持板２０５の短端部２９５ａをガイド２０１の溝にスライドさせ、ストッパー３０２により動きが規制される位置まで嵌め込み固定する。
【００３７】
一方、表面パネル３００の裏面に軸板５００を取り付ける。この取付けは、図１３に示すように軸板５０３をガイド３０２の溝に差し込みストッパー３０２に規制されるところまでスライドさせる。
【００３８】
そして、軸５０３を支持板２０５の軸穴２０５ｃに嵌め込む。これにより、表面パネル３００は図１４、図１５に示すように軸５０３を中心に回動自在となる。
【００３９】
この状態で貫通穴２０２ａにねじやビズなどを通して、基板２０１を壁面に取り付ける。この際、平面な壁面にはそのまま取り付けることができるが、壁の角に取り付ける時には、溝２０３に沿って折り曲げることで、壁の角に沿って取り付ける。
【００４０】
この状態で、両面テープ４００の表面の剥離紙を剥がして、その部分にお札を取り付ける。そして、所望の方角に向かって表面パネル３００を回動させることで、お札を所望の方角に向けることができる。
お札を取り付け、所望の方角を向けた状態で放置することで、自重により軸５０３は回動が規制され、静止した状態となる。
【００４１】
このように、第２の実施形態によれば、ナットにて締め付けなくても、軸穴２０５ｃと軸５０３との摩擦で固定可能となるし、ナットの付け忘れや、締め忘れなどを防ぐことができる。
また、部品点数を少なくし、これらを組立品で供給することもでき、使用者は組み立ての手間を省くことができる。
また、基板２０１をネジや、画鋲で固定する際に、回転部が比較的邪魔にならないし、基板２０１の両側の面を曲げて使うことで壁の角部に固定することもでき、取付面を選ばず、どこでも取り付けることできる。
また、部品を分割し、平板状とすることにより、金型の掘り込み深さが少なくなり、部品加工の精度向上と、加工工期の短縮を図ることができる。
【符号の説明】
【００４２】
１      お札取り付け器具
２      固定金具
３      回動金具
４      表面パネル
５      ナット
２１    基板
２１ａ  穴
２２    翼部
２２ａ  穴
２３    支持板（部）
２３ａ  穴
３１    取付板
３１ａ  窓
３２    軸板
３３    突部
３３ｃ  突起
３４    爪部
４１    パネル本体
４２    ホルダー
１００  お札取り付け器具
２００  固定金具
２０１  基板
２０２  穴
２０２ａ貫通穴
２０３  溝
２０４  ガイド
２０５  支持板
２０６  ストッパー
３００  表面パネル
４００  両面テープ
５００  軸板
【図１】
2018171357.tif 000003
【図２】
2018171357.tif 000004
【図３】
2018171357.tif 000005
【図４】
2018171357.tif 000006
【図５】
2018171357.tif 000007
【図６】
2018171357.tif 000008
【図７】
2018171357.tif 000009
【図８】
2018171357.tif 000010
【図９】
2018171357.tif 000011
【図１０】
2018171357.tif 000012
【図１１】
2018171357.tif 000013
【図１２】
2018171357.tif 000014
【図１３】
2018171357.tif 000015
【図１４】
2018171357.tif 000016
【図１５】
2018171357.tif 000017
【手続補正書】
【提出日】平成30年2月19日(2018.2.19)
【手続補正１】
【補正対象書類名】特許請求の範囲
【補正対象項目名】全文
【補正方法】変更
【補正の内容】
【特許請求の範囲】
【請求項１】
お札を所定の方角に向けて配置するためのお札取り付け器具であって、
壁面に固定される平板状の基板と、この基板から延びだした先端部に軸穴を有する表面パネルを保持する支持板とを有する固定部材と、
上記お札をテープにより取り付け可能な平板形状の表面パネルと、L字状に形成され、一端部が上記表面パネルの裏面に取り付けられ、他端部に上記軸穴に嵌め込む回転軸が設けられた軸板とを有する表面部材と、を有し、
上記回転軸が上記支持板に形成された軸穴に嵌ることで、上記表面パネルに、上記お札を取り付けた状態で、上記固定部材に対して回動可能に支持されるとともに、上記軸穴と上記回転軸との摩擦で上記お札を所定の方角に向けて保持するようになっている、
ことを特徴とするお札取り付け器具。
【請求項２】
上記支持板は、上記基板に形成されたガイドに嵌め込むことにより取り付けられる、
請求項１記載のお札取り付け器具。
【請求項３】
上記軸板は、上記表面パネル裏面に形成されたガイド溝に上記一端部を嵌め込むことにより取り付けられる、
請求項１又は２記載のお札取り付け器具。